(57)【要約】      （修正有）【課題】穀物類の圧扁機のロール間隙調整機構を提供する。【解決手段】固定支持腕２に軸着された固定ロール３と、枢動支持腕５に軸着され固定ロール３に並設され可動ロール６と、間隙Ｓを調整する間隙調整機構７と、を備えた圧扁機であって、間隙調整機構７は減速機付モーター７ａの駆動によって回動する棒ネジ７ｂと、棒ネジ７ｂと螺合する内ネジにより間隙調整機構７が伸縮をして間隙Ｓを調整し、減速機付モーター７ａの駆動停止は電気的に接続させフレーク厚みに応じた種類の間隙量の数値を電気的にプリセットした制御部で行う構造としたものであり、更に、制御部は電気的に接続させた遠隔場所に配設したものである。【選択図】図１
0003140323.tif 000002
【実用新案登録請求の範囲】
【請求項１】
基台から立設した固定支持腕と、該固定支持腕に設けた軸受に軸着され一方方向に回転する固定ロールと、前記基台から枢動軸を介装して枢動可能に立設した枢動支持腕と、該枢動支持腕に設けた軸受に軸着され前記固定ロールと平行に間隙を有して並設され他方方向に回転する可動ロールと、前記固定支持腕と前記枢動支持腕との夫々の上方を機械的に接続し前記固定ロールと前記可動ロールとの間隙を調整する間隙調整機構と、を備えた圧扁機であって、前記間隙調整機構は減速機付モーターの駆動によって回動する棒ネジと、該棒ネジと螺合する内ネジにより間隙調整機構が伸縮をして前記固定ロールの外周と前記可動ロールの外周との間隙を調整し、前記減速機付モーターの駆動停止は電気的に接続させ要求されるフレーク厚みに応じた種類の間隙量の数値を電気的にプリセットした制御部で行う構造としたことを特徴とする穀物類の圧扁機のロール間隙調整機構。
【請求項２】
前記制御部は電気的に接続させた遠隔場所に配設したことを特徴とする請求項１に記載の穀物類の圧扁機のロール間隙調整機構。
【考案の詳細な説明】
【技術分野】
【０００１】
本考案は、穀物類の圧扁機のロール間隙調整機構に関するものであり、更に詳細には、メイズ、大麦、大豆等の穀物類の圧扁フレークを製造するための一対のロール間の間隙を調整する圧扁機のロール間隙調整機構に関するものである。
【背景技術】
【０００２】
従来、この種の穀物類の圧扁フレークを製造する圧扁機のロール間隙調整機構は開発されて使用されているが、間隙量の調整操作は圧扁機で製造されるフレークの状態をみて圧扁機に付設されている間隙調整用ハンドルを手動、又は、モーターの駆動により決定している実情である。
【０００３】
例えば、支持体１に一対の固定軸受部３、３が固着してあり、固定軸受部３、３は固定圧扁ロール２の軸方向両端側を軸支している。支持体１には可動圧扁ロール４を固定圧扁ロール２に接離可能に支持するための一対の可動軸受部５、５が変位可能に設けてある。固定圧扁ロール２と可動圧扁ロール４の隙間調整は隙間調整機構部９によって行う。隙間調整機構部９を構成する軸受押動体１０は雌ねじ部を有し、可動軸受部５に固着してある。軸受押動体１０の雌ねじ部には駆動ねじ１２が螺合してある。駆動ねじ１２は油圧モータ１４、減速機１５、駆動歯車１６及び従動歯車１７からなる回転駆動手段１３によって正逆回転させる。支持体１に固着した油圧シリンダ装置１９によって駆動ねじ１２、軸受押動体１０を介して可動圧扁ロール４を固定圧扁ロール２に当接させた状態から離間した状態まで自在に変位させることができる（特許文献１参照）や、ニップ間隙調整手段が、ローラの回転軸とほぼ平行な軸線周り枢動運動をするようローラ間の少なくとも１つに載置する手段と、対応するローラに夫々連結され一方が内部にねじ付き開口を提供している板部材と、該開口内に作動的に螺合し、対向する板部材と係合するため内部で軸線方向に調整可能となっている細長いねじ付きシャンク部材と、該シャンク部材と対向する板部材との間の有効な係合をもたらすためローラを一緒に選択的に引っ張る手段とから成るもの（特許文献２参照）等が開示されている。
【特許文献１】特開平０７−６８１９１号公報（請求項１）
【特許文献２】特開平０３−２１３１５３号公報（請求項３）
【考案の開示】
【考案が解決しようとする課題】
【０００４】
然し乍ら、特許文献１に記載のものは、回転駆動手段１３の油圧モータ１４によって正逆回転させるものであるが、その駆動は回転数検出装置１８で検出しながら行うもので、更に、特許文献２に記載のものは、偏心体の一方又は双方は、初めにボルト１２０をゆるめ、ついで協働する棒１１８を歯付輪１１６との係合から引き戻すことにより操作される。このとき偏心体は所望の調整を達成するように協働するレンチ平坦部１１４に係合することにより回転させて行っており、フレーキングロール装置に付設された調整機構を操作しながら行っているもので、自動調整はできず、その都度人為的に行っているものである。
【課題を解決するための手段】
【０００５】
前記課題に鑑み鋭意研鑚の結果、本考案の圧扁機のロール間隙調整機構は、基台から立設した固定支持腕と、固定支持腕に設けた軸受に軸着され一方方向に回転する固定ロールと、基台から枢動軸を介装して枢動可能に立設した枢動支持腕と、枢動支持腕に設けた軸受に軸着され固定ロールと平行に間隙を有して並設され他方方向に回転する可動ロールと、固定支持腕と枢動支持腕との上方を機械的に接続し固定ロールと可動ロールとの間隙を調整する間隙調整機構と、を備えた圧扁機であって、間隙調整機構は減速機付モーターの駆動によって回動する棒ネジと、棒ネジと螺合する内ネジにより間隙調整機構が伸縮をして固定ロールの外周と可動ロールの外周との間隙を調整し、減速機付モーターの駆動停止は電気的に接続させた制御部で行う構造としたものであり、更に、制御部は電気的に接続させた遠隔場所に配設したものである。
【考案の効果】
【０００６】
本考案の圧扁機のロール間隙調整機構は、減速機付モーターの駆動によって回動する棒ネジと、棒ネジと螺合する内ネジにより間隙調整機構が伸縮をして固定ロールの外周と可動ロールの外周との間隙を調整し、減速機付モーターの駆動停止は電気的に接続させた要求されるフレーク厚みに応じた種類の間隙量の数値を電気的にプリセットした制御部で行う構造としたものであり、更に、制御部は電気的に接続させた遠隔場所に配設したもので、同一の圧扁機で異なったフレークを製造する場合、予めプリセットしたものの一つを選択して、遠隔場所からでも制御部を操作することで容易に目的とするロール間隙量に自動で調整可能なものであり、極めて有効な効果を有した実用性の高い考案である。
【考案を実施するための最良の形態】
【０００７】
以下、本考案の圧扁機のロール間隙調整機構の実施例を図面を用いて詳細に説明すると、図１は本考案の圧扁機のロール間隙調整機構の実施例を説明するための概要説明図である。
【０００８】
本考案は、穀物類の圧扁機のロール間隙調整機構に関するものであり、更に詳細には、メイズ、大麦、大豆等の穀物類の圧扁フレークを製造するための一対のロール間の間隙を調整する圧扁機のロール間隙調整機構に関するものであり、請求項１に記載の穀物類の圧扁機のロール間隙調整機構は、基台１から立設した固定支持腕２と、該固定支持腕２に設けた軸受２ａに軸着され一方方向に回転する固定ロール３と、前記基台１から枢動軸４を介装して枢動可能に立設した枢動支持腕５と、該枢動支持腕５に設けた軸受５ａに軸着され前記固定ロール３と平行に間隙を有して並設され他方方向に回転する可動ロール６と、前記固定支持腕２と前記枢動支持腕５との夫々の上方を機械的に接続し前記固定ロール３と前記可動ロール６との間隙Ｓを調整する間隙調整機構７と、を備えた圧扁機であって、前記間隙調整機構７は減速機付モーター７ａの駆動によって回動する棒ネジ７ｂと、該棒ネジ７ｂと螺合する内ネジにより間隙調整機構７が伸縮をして前記固定ロール３の外周と前記可動ロール６の外周との間隙Ｓを調整し、前記減速機付モーター７ａの駆動停止は電気的に接続させ要求されるフレーク厚みに応じた種類の間隙量の数値を電気的にプリセットした制御部で行う構造としたことを特徴とするものである。
【０００９】
更に、請求項２に記載の穀物類の圧扁機のロール間隙調整機構は、請求項１に記載の穀物類の圧扁機のロール間隙調整機構において、前記制御部は電気的に接続させた遠隔場所に配設したことを特徴とするものである。
【実施例】
【００１０】
即ち、本考案の穀物類の圧扁機は、メイズ、大麦、大豆等の穀物類の圧扁フレークを製造するものであり、ロール間隙調整機構７は、圧扁機の相対して回転をする一対のロール３．６の間隙Ｓを自動的に調整するものである。
【００１１】
そして、基台１は圧扁機の土台と成るもので、側方及び上方はケーシングで覆われ、後述する固定支持腕２と枢動支持腕５とを立設させており、更には、固定ロール３と可動ロール６とを駆動させるモーター等を備え付けるものである。
【００１２】
次に、固定支持腕２は、基台１に立設させているもので、後述する軸受２ａを介して固定ロール３を回転自在に軸着しているものである。
【００１３】
次いで、固定ロール３は、固定支持腕２に設けた軸受２ａに軸着され一方方向に回転するもので、後述する可動ロール６と相対して回転するものである。
【００１４】
更に、枢動支持腕５は、基台１に枢動軸４を介装して枢動可能に立設させているもので、枢動軸４は枢動支持腕５を僅かに枢動させるもので、後述する軸受５ａを介して回転自在に軸着している可動ロール６を可動させるものである。
【００１５】
更には、可動ロール６は、枢動支持腕５に設けた軸受５ａに軸着され他方方向に回転するもので、固定ロール３と平行に夫々の外周面が僅かな間隙Ｓを有して並設され、可動ロール６と固定ロール３とは夫々駆動源とするモーターとプーリー、ベルト、ギヤ等で機械的に接続され、夫々ロールの内側が下方方向に回動するように相対して回転するものである。
【００１６】
また、間隙調整機構７は、固定支持腕２と枢動支持腕５との夫々の上方を機械的に接続しているもので、延伸することで固定ロール３と可動ロール６との間隙Ｓを拡げ、縮小することで固定ロール３と可動ロール６との間隙Ｓを狭めて調整をするものである。
【００１７】
そして、間隙調整機構７には、減速機付モーター７ａの駆動によって回動する棒ネジ７ｂと、棒ネジ７ｂと螺合する内ネジとを含み、伸縮をすることで固定ロール３の外周と可動ロール６の外周との間隙Ｓを調整するもので、図１に図示する実施例では減速機付モーター７ａの回転を減速させて棒ネジ７ｂを回転させる複数のギヤから成るギヤボックス７ｃと、ギヤボックス７ｃから突出させた棒ネジ７ｂと、棒ネジ７ｂと螺合した内ネジと、内ネジを設けたピストンと、ピストンを挿通させた油圧シリンダー７ｄ等から構成されており、減速機付モーター７ａを駆動させることで伸縮するものである。
【００１８】
つまり、両端を固定支持腕２と枢動支持腕５とに接続された間隙調整機構７は、延伸することで、枢動支持腕５が枢動軸４を中心として外方向に枢動し、固定支持腕２と枢動支持腕５との間が拡がり、これに伴って固定ロール３と可動ロール６との間隙Ｓが拡がるもので、逆に減速機付モーター７ａを反転させることで前述と逆に作用して縮小し、枢動支持腕５が枢動軸４を中心として内方向に枢動し、これに伴って固定ロール３と可動ロール６との間隙Ｓも狭まるものである。
【００１９】
更に、制御部は、電気的に接続させた減速機付モーター７ａの駆動停止を行うものであり、制御部には要求されるフレーク厚み（０．０１ｍｍを最小とし５ｍｍまで）に応じた種類の間隙量の数値を電気的にプリセットしているものである。
【００２０】
更には、制御部は、電気的に接続させて遠隔場所に配設したことにより、間隙変更時にプリセットした間隙量の選択を圧扁機から離れた工場全体を監視する操作室等からも可能とするものである。
【産業上の利用可能性】
【００２１】
本考案の圧扁機のロール間隙調整機構は、減速機付モーターの駆動によって回動する棒ネジと、棒ネジと螺合する内ネジにより伸縮をして固定ロールの外周と可動ロールの外周との間隙を調整し、減速機付モーターの駆動停止は電気的に接続させた要求されるフレーク厚みに応じた種類の間隙量の数値を電気的にプリセットした制御部で行う構造としたものであり、更に、制御部は電気的に接続させた遠隔場所に配設したもので、一台の圧扁機で異なったフレークを製造する場合、予めプリセットしたものの一つを選択して、制御部を操作することで容易に目的とするロール間隙量に自動で調整可能なものであり、また、制御部を遠隔場所に配設したことにより、圧扁機から離れた工場全体を監視する操作室等からもロール間隙量に自動で調整可能とする圧扁機のロール間隙調整できるものである。
【図面の簡単な説明】
【００２２】
【図１】図１は本考案の圧扁機のロール間隙調整機構の実施例を説明するための概要説明図である。
【符号の説明】
【００２３】
１      基台
２      固定支持腕
２ａ    軸受
３      固定ロール
４      枢動軸
５      枢動支持腕
５ａ    軸受
６      可動ロール
７      間隙調整機構  
７ａ    減速機付モーター
７ｂ     棒ネジ
７ｃ    ギヤボックス
７ｄ    油圧シリンダー
Ｓ      間隙
【図１】
0003140323.tif 000003